(57)【要約】【課題】着脱が容易なアンテナスタンドを提供する。【解決手段】アンテナスタンドは、アンテナ支持部材１０１と、アンテナ支持部材１０１に設けられてアンテナ本体１０と係合することが可能なスタンド側係合部１０４と、スタンド側係合部１０４に接続されてアンテナ本体１０に対するスタンド側係合部１０４の位置を変化させることが可能な操作部１０５とを備える。操作部１０５を押圧して操作することにより、スタンド側係合部１０４がアンテナ本体１０に係合した第一状態と、係合が解除された第二状態とにスタンド係合部１０４が位置決めされる。【選択図】図２
2011049849.tif 000002
【特許請求の範囲】
【請求項１】
アンテナ本体を支持するアンテナ支持部材と、
前記アンテナ支持部材に設けられて前記アンテナ本体と係合することが可能な係合部と、
前記係合部に接続されて前記アンテナ本体に対する係合部の位置を変化させることが可能な操作部とを備え、
前記操作部を操作することにより、前記係合部がアンテナ本体に係合した第一状態と、係合が解除された第二状態とに前記係合部が位置決めされるアンテナスタンド。
【請求項２】
前記アンテナ支持部材の一部が切り欠かれて窓部が設けられており、その窓部に前記アンテナ本体の一部分が挿入される、請求項１に記載のアンテナスタンド。
【請求項３】
前記アンテナ支持部材は中空形状であり、その中空部分に前記操作部が設けられる、請求項１または２に記載のアンテナスタンド。
【請求項４】
前記アンテナ支持部材には、前記係合部よりも肉厚の枠体が設けられ、その枠体に取り囲まれた部分に前記係合部が配置される、請求項１から３のいずれか１項に記載のアンテナスタンド。
【請求項５】
請求項１から４のいずれか１項に記載のアンテナスタンドを備えた、アンテナ装置。
【発明の詳細な説明】
【技術分野】
【０００１】
この発明は、アンテナスタンドおよびアンテナ装置に関し、より特定的には、アンテナ本体を支持するアンテナスタンドおよびそれを用いたアンテナ装置に関するものである。
【背景技術】
【０００２】
従来、アンテナスタンドは、たとえば特開２００８−１１８３５３号公報（特許文献１）および特開２００７−１８１０２４号公報（特許文献２）に開示されている。
【先行技術文献】
【特許文献】
【０００３】
【特許文献１】特開２００８−１１８３５３号公報
【特許文献２】特開２００７−１８１０２４号公報
【発明の概要】
【発明が解決しようとする課題】
【０００４】
特許文献１に記載の技術では、ほぼ四角形の面上に形成したアンテナ本体に対し、指向性最大方向から９０度の方向の側部、たとえば両側部および下部に金具取付部を設け、この金具取付部は、マスト取付金具をボルトによって容易に着脱できる構成とされていることが開示されている。
【０００５】
特許文献２では、ベースと、ベースに対し嵌り合う支持アームとからなり、支持アームは、アンテナ本体をベースに対して平行に取付け可能な取付け板を先端に備える構造が開示されている。
【０００６】
しかしながら、従来の技術では、アンテナ本体からスタンドを容易に着脱することが困難であるという問題があった。
【０００７】
そこで、この発明は上述のような問題点を解決するためになされたものであり、着脱が容易なアンテナスタンドおよびそれを用いたアンテナ装置を提供することを目的とする。
【課題を解決するための手段】
【０００８】
この発明に従ったアンテナスタンドは、アンテナ本体を支持するアンテナ支持部材と、アンテナ支持部材に設けられてアンテナ本体と係合することが可能な係合部と、係合部に接続されてアンテナ本体に対する係合部の位置を変化させることが可能な操作部とを備える。操作部を例えば操作者が手で操作することにより、係合部が本体に係合した第一状態と、係合が解除された第二状態とに係合部を位置決めすることができる。
【０００９】
このように構成されたアンテナスタンドでは、操作部を押圧して操作することで、係合部が本体に係合した第一状態と、係合が解除された第二状態とに係合部を位置決めすることができるため、操作者が押圧することにより、係合を解除することができ、これによりアンテナスタンドからアンテナ本体を簡単に着脱することが可能となる。
【００１０】
好ましくは、アンテナ支持部材の一部が切り欠かれて窓部が設けられており、その窓部にアンテナ本体の一部分が挿入される。
【００１１】
好ましくは、アンテナ支持部材は中空形状であり、その中空部分に操作部が設けられる。
【００１２】
好ましくは、アンテナ支持部材には、係合部よりも肉厚の枠体が設けられ、その枠体に取り囲まれた部分に係合部が配置される。
【００１３】
この発明に従ったアンテナ装置は、上記のアンテナスタンドを備える。
【発明の効果】
【００１４】
この発明に従えば、アンテナ本体を簡単に着脱することが可能なアンテナスタンドおよびそれを用いたアンテナ装置を提供することができる。
【図面の簡単な説明】
【００１５】
【図１】この発明の実施の形態に従ったアンテナスタンドを有するアンテナ装置の正面図である。
【図２】図１中のＩＩ−ＩＩ線に沿ったアンテナ本体およびアンテナスタンドの断面図である。
【図３】図２中のＩＩＩで囲んだ部分を拡大して示し、かつアンテナスタンド１００とアンテナ本体１０との係合が外れた状態を示す図である。
【図４】アンテナ本体との係合が解除された状態でのアンテナスタンドの正面図である。
【図５】図４中のＶ−Ｖ線に沿った、アンテナ本体との係合が解除されたアンテナスタンドの断面図である。
【図６】アンテナ本体との係合が解除された状態のアンテナスタンドを上側から見た斜視図である。
【図７】図６中のＶＩＩで示す方向から見た、アンテナ本体との係合が解除されたアンテナスタンドの斜視図である。
【図８】実施の形態に従ったアンテナスタンドに係合するアンテナ本体の背面図である。
【図９】図８中の矢印ＩＸで示す方向から見た、アンテナスタンドに係合前のアンテナ装置の底面図である。
【発明を実施するための形態】
【００１６】
以下、この発明の実施の形態について、図面を参照して説明する。なお、以下の実施の形態では同一または相当する部分については同一の参照符号を付し、その説明については繰返さない。
【００１７】
図１は、この発明の実施の形態に従ったアンテナスタンドを有するアンテナ装置の正面図である。図１を参照して、アンテナ装置１は、例えば地上デジタル放送を受信するアンテナ本体１０と、アンテナ本体１０を支持するアンテナスタンド１００とを有する。アンテナ本体１０内には、アンテナを構成する反射器および放射器が収納されている。アンテナ本体１０はアンテナスタンド１００により保持されている。アンテナ本体１０内に導波器が設けられていてもよい。アンテナスタンド１００は、アンテナ本体１０を支持するアンテナ支持部材１０１を有する。
【００１８】
図２は、図１中のＩＩ−ＩＩ線に沿ったアンテナ本体およびアンテナスタンドの断面図である。図３は、図２中のＩＩＩで囲んだ部分を拡大して示し、かつアンテナスタンド１００とアンテナ本体１０との係合が外れた状態を示す図である。図２を参照して、アンテナスタンド１００は、アンテナ本体１０を支持している。アンテナスタンド１００は、上方向に向かって延びるアンテナ支持部材１０１と、アンテナ支持部材１０１の一部分を構成するスタンド側係合部１０４と、スタンド側係合部１０４に接続された操作部１０５とを有する。
【００１９】
スタンド側係合部１０４はアンテナ支持部材１０１と一体に形成されており、アンテナ支持部材１０１に対して撓むことでその位置を変化させることが可能である。スタンド側係合部１０４の先端にはスタンド側爪部１０３が設けられている。スタンド側爪部１０３は下側へ突出した形状とされている。操作部１０５はスタンド側係合部１０４と接続されているため、操作部１０５を押圧することにより、スタンド側係合部１０４の位置が変化する。
【００２０】
アンテナ本体１０には、一方向に延びる延在部１２が設けられている。延在部１２の先端には本体側爪部１３が設けられている。本体側爪部１３がスタンド側爪部１０３と係合することで、アンテナ本体１０全体がアンテナスタンド１００に係合して保持される。
【００２１】
図３を参照して、操作者がたとえば手により操作部１０５を押圧すれば、操作部１０５に接続されたスタンド側係合部１０４が上方向へ持ち上がる。これによりスタンド側係合部１０４に設けられたスタンド側爪部１０３に上方向に移動する。その結果、スタンド側爪部１０３と本体側爪部１３の係合が外れる。この状態で延在部１２をアンテナ本体１０と共に引抜くことでアンテナスタンド１００とアンテナ本体１０との係合を解除することができる。
【００２２】
図３では、スタンド側係合部１０４が上側、延在部１２が下側に設けられているが、この構成に限られず、スタンド側係合部１０４が下側、延在部１２が上側に設けられていてもよい。この場合、操作部１０５を手で引くことで、スタンド側爪部１０３と本体側爪部１３との係合を解除することができる。
【００２３】
図４は、アンテナ本体との係合が解除された状態でのアンテナスタンドの正面図である。図５は、図４中のＶ−Ｖ線に沿った、アンテナ本体との係合が解除されたアンテナスタンドの断面図である。図４および図５を参照して、アンテナスタンド１００のアンテナ支持部材１０１は中空形状であり、その中空部分に操作部１０５が設けられている。アンテナスタンド１００のアンテナ支持部材１０１の一部が切り欠かれて窓部１０６が形成されている。窓部１０６には、アンテナ本体１０の延在部１２が挿入される。窓部１０６から挿入された延在部１２はスタンド側爪部１０３と係合することが可能である。図４では、窓部１０６は２つ設けられているが、これに限られずさらに多く、または少ない窓部１０６を設けてもよい。
【００２４】
図６は、アンテナ本体との係合が解除された状態のアンテナスタンドを上側から見た斜視図である。図７は、図６中のＶＩＩで示す方向から見た、アンテナ本体との係合が解除されたアンテナスタンドの斜視図である。図６および図７を参照して、アンテナスタンド１００のアンテナ支持部材１０１には枠体１０７が設けられている。この枠体１０７に取囲まれた部分がスタンド側係合部１０４である。スタンド側係合部１０４に接続されるように操作部１０５が下方向に延びている。枠体１０７は、アンテナ本体１０の荷重を受け止めるためスタンド側係合部１０４よりも肉厚に構成されている。
【００２５】
図７で示すように、アンテナスタンド１００の下側から操作部１０５を操作できる形状とされている。アンテナスタンド１００の中央部分が空洞となっており、この空洞部分に操作部１０５が設けられる。
【００２６】
図８は、実施の形態に従ったアンテナスタンドに係合するアンテナ本体の背面図である。図９は、図８中の矢印ＩＸで示す方向から見た、アンテナスタンドに係合前のアンテナ装置の底面図である。図８および図９を参照して、アンテナ本体１０の底面部１８には、出力端子１９、延在部１２および本体側爪部１３が設けられている。図８および図９では、アンテナ本体１０のケースを構成する面のうち、最も狭い面である底面部１８に出力端子１９、延在部１２および本体側爪部１３が設けられているが、必ずしもこの面に設ける必要は無く、より広い面に出力端子１９、延在部１２および本体側爪部１３を設けてもよい。
【００２７】
また、この例では出力端子１９、延在部１２および本体側爪部１３を同じ面に設けているが、出力端子１９を、延在部１２および本体側爪部１３が設けられる面と異なる面に設けてもよい。この場合、延在部１２および本体側爪部１３にアンテナスタンド１００が係合した場合であっても、係合面とは異なる面に出力端子１９が設けられるため、出力端子１９に信号線を接続しやすくなる。
【００２８】
アンテナ本体１０は、この実施の形態では四角形状であるが、アンテナ本体１０の形状はこれに限られず、多角形状、円形状、楕円形状などであってもよい。さらに、この実施の形態では厚みに対して幅と高さが大きい偏平形状のアンテナを示したが、これに限られず、厚み、幅および高さが同程度のアンテナ本体１０を用いてもよい。
【００２９】
また、出力端子１９は、底面部１８にのみ設けられるものではなく、底面部１８以外に出力端子１９を設けてもよい。
【００３０】
すなわち、この発明に従ったアンテナスタンド１００は、アンテナ支持部材１０１と、アンテナ支持部材１０１に設けられてアンテナ本体１０と係合することが可能なスタンド側係合部１０４と、スタンド側係合部１０４に接続されてアンテナ本体１０に対するスタンド側係合部１０４の位置を変化させることが可能な操作部１０５とを備える。操作部１０５を押圧して操作することにより、スタンド側係合部１０４がアンテナ本体１０に係合した第一状態（図２）と、その係合が解除された第二状態（図３）とにスタンド側係合部１０４が位置決めされる。
【００３１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３２】
この発明は、アンテナ装置の分野、特に室内に設置されるアンテナ装置の分野で用いることができる。
【符号の説明】
【００３３】
１  アンテナ装置、１０  アンテナ本体、１２  延在部、１３  本体側爪部、１８  底面部、１９  端子、１００  アンテナスタンド、１０１  アンテナ支持部材、１０３  スタンド側爪部、１０４  スタンド側係合部、１０５  操作部、１０６  窓部、１０７  枠体。
【図１】
2011049849.tif 000003
【図２】
2011049849.tif 000004
【図３】
2011049849.tif 000005
【図４】
2011049849.tif 000006
【図５】
2011049849.tif 000007
【図６】
2011049849.tif 000008
【図７】
2011049849.tif 000009
【図８】
2011049849.tif 000010
【図９】
2011049849.tif 000011